(57)【要約】【課題】オプションハーネス用固定具という特別な部材を必要とすることなく、標準ハーネスに対してオプションハーネスを保持できる、新規な結束バンドおよびそれを用いたワイヤハーネスの固定構造を提供すること。【解決手段】バックル部１２の一方の端部１４より、ワイヤハーネス４６，４８へ巻き付けるバンド部１６が延出されている、結束バンド１０であって、バックル部１２には、バンド部１６の延出方向に貫通しかつバンド部１６が挿通係止されるバンド挿通孔２２が設けられていると共に、相互に嵌合可能な嵌合凹部４２と嵌合凸部４４の一組が設けられているようにした。【選択図】図２
2017163717.tif 000002
【特許請求の範囲】
【請求項１】
バックル部の一方の端部より、ワイヤハーネスへ巻き付けるバンド部が延出されている、結束バンドであって、
前記バックル部には、前記バンド部の延出方向に貫通しかつ前記バンド部が挿通係止されるバンド挿通孔が設けられていると共に、相互に嵌合可能な嵌合凹部と嵌合凸部の一組が設けられている
ことを特徴とする結束バンド。
【請求項２】
前記嵌合凹部と前記嵌合凸部の一組が、前記バンド挿通孔と平行に延びる前記バックル部の両側縁部にそれぞれ設けられている請求項１に記載の結束バンド。
【請求項３】
前記バックル部の各前記側縁部に設けられた前記嵌合凹部と前記嵌合凸部の一組が、前記バックル部の高さ方向で相互に向き合って形成されており、前記嵌合凹部の内面と前記嵌合凸部の外面が部分的に共通な面で構成されている請求項２に記載の結束バンド。
【請求項４】
前記嵌合凹部の内面に、前記嵌合凸部の挿入方向に直交する方向に立ち上がる係合壁部が設けられている一方、前記嵌合凸部の外面に、前記挿入方向で前記係合壁部外面を乗り越え可能でかつ前記係合壁部の内面に係合して前記挿入方向と反対方向への前記嵌合凸部の移動を阻止する係合爪部が突設されている請求項１〜３の何れか１項に記載の結束バンド。
【請求項５】
前記嵌合凹部の内面と前記嵌合凸部の外面には、前記バンド挿通孔の貫通方向の両側で相互に係合して前記貫通方向の両側への前記嵌合凸部の前記嵌合凹部からの移動を阻止する当接部がそれぞれ設けられている請求項１〜４の何れか１項に記載の結束バンド。
【請求項６】
第一のワイヤハーネスに対して、第二のワイヤハーネスを固定するワイヤハーネスの固定構造であって、
前記第一のワイヤハーネスに対して、請求項１〜５の何れか１項に記載の結束バンドが取り付けられている一方、
前記結束バンドに設けられた相互に嵌合可能な前記嵌合凹部と前記嵌合凸部の一組が、前記第二のワイヤハーネス側にも設けられており、
前記第一のワイヤハーネス側の前記嵌合凹部と前記嵌合凸部の一方が、前記第二のワイヤハーネス側の前記嵌合凹部と前記嵌合凸部の他方に嵌合されて、前記第一のワイヤハーネスに対して前記第二のワイヤハーネスが固定されている
ことを特徴とするワイヤハーネスの固定構造。
【請求項７】
前記第二のワイヤハーネスに請求項１〜５の何れか１項に記載の結束バンドが取り付けられており、前記第二のワイヤハーネス側の前記嵌合凹部と前記嵌合凸部の一組が、前記第二のワイヤハーネスに取り付けられた前記結束バンドの前記嵌合凹部と前記嵌合凸部の一組によって構成されている請求項６に記載のワイヤハーネスの固定構造。
【請求項８】
前記第二のワイヤハーネス側の前記嵌合凹部と前記嵌合凸部の一組が、前記第二のワイヤハーネスの端末に取り付けられたコネクタに形成されている請求項６に記載のワイヤハーネスの固定構造。
【発明の詳細な説明】
【技術分野】
【０００１】
本発明は、車両に配設された標準仕様のワイヤハーネスに対してオプション仕様のワイヤハーネスを保持する結束バンドおよびそれを用いたワイヤハーネスの固定構造に関するものである。
【背景技術】
【０００２】
従来から、自動車用のワイヤハーネスには、全ての車に搭載される標準仕様のワイヤハーネス（以下、標準ハーネスという）の他に、標準仕様の車両では使用されないが、車両のグレードや購入後のユーザニーズにより、オプション的に使用が可能なオプション仕様のワイヤハーネス（以下、オプションハーネスという）が含まれている場合がある。このようなオプションハーネスは、特開平１１−２６０５９号（特許文献１）等に記載されているように、未使用時には標準ハーネスの外周面上にビニールテープ等で巻き付けて保持することが一般的に行われている。
【０００３】
ところで、オプションハーネスをテープ巻き固定する従来構造では、オプションハーネス使用の際にテープを引きちぎる必要があることから、大きな力が要求される上に、引きちぎられたテープが散乱して部材間に入り込むことにより導通不良が発生するといった悪影響が指摘されていた。
【０００４】
そこで、特開平１１−２１５６６６号（特許文献２）等に記載されているように、標準ハーネスにコネクタ取付部を有するオプションハーネス用固定具を取り付け、オプションハーネスの端末に装着されたコネクタに設けられた被ロック部をコネクタ取付部にロック嵌合することにより、標準ハーネスに対してオプションハーネスを着脱可能に保持されるオプションハーネス用固定具が提案されている。
【０００５】
このようにすれば、オプションハーネスを使用する際にテープを引きちぎる必要がなくロック嵌合を解除すればよいだけであることから、大きな力が不要とされる上に、引きちぎられたテープが散乱して例えばオプションハーネスの端末に装着されたコネクタ等に入り込むことにより導通不良が発生するといったおそれがない。
【０００６】
しかしながら、かかる対策では、オプションハーネス用固定具という特別な部材を準備して標準仕様のワイヤハーネスに対して取り付ける必要があることから、汎用性やコストの観点から、望ましい対策とは言い難かった。
【先行技術文献】
【特許文献】
【０００７】
【特許文献１】特開平１１−２６０５９号公報
【特許文献２】特開平１１−２１５６６６号公報
【発明の概要】
【発明が解決しようとする課題】
【０００８】
本発明は、上述の事情を背景に為されたものであって、その解決課題は、オプションハーネス用固定具という特別な部材を必要とすることなく、標準ハーネスに対してオプションハーネスを保持できる、新規な結束バンドおよびそれを用いたワイヤハーネスの固定構造を提供することにある。
【課題を解決するための手段】
【０００９】
結束バンドに関する本発明の第一の態様は、バックル部の一方の端部より、ワイヤハーネスへ巻き付けるバンド部が延出されている、結束バンドであって、前記バックル部には、前記バンド部の延出方向に貫通しかつ前記バンド部が挿通係止されるバンド挿通孔が設けられていると共に、相互に嵌合可能な嵌合凹部と嵌合凸部の一組が設けられていることを特徴とする。
【００１０】
本態様によれば、結束バンドのバックル部には、相互に嵌合可能な嵌合凹部と嵌合凸部の一組が設けられている。これにより、例えば、本態様の構造を有する結束バンドを標準ハーネスとオプションハーネスのそれぞれに結束固定すれば、標準ハーネスに取り付けた結束バンドの嵌合凹部と嵌合凸部の一方を、オプションハーネスに取り付けた結束バンドの嵌合凹部と嵌合凸部の他方に嵌合させるという簡単な作業により、オプションハーネスを標準ハーネスに固定して保持させることができる。
【００１１】
ここで、本態様の結束バンドによれば、バックル部に相互に嵌合可能な嵌合凹部と嵌合凸部の一組が標準形状として設けられていることから、通常の電線結束に用いられる結束バンドと同じ構造の結束バンドを利用して、オプションハーネスを標準ハーネスに取り付けることも可能となるのである。したがって、従来の如きオプションハーネス用固定具という特別な部材を別途設ける必要がなく、通常の電線結束機能に加えて連結機能をも備えた汎用性の高い結束バンドを提供することができるのである。
【００１２】
さらに、標準ハーネスにオプションハーネスを固定する際に、電線結束に用いた結束バンドを利用できることから、オプションハーネスを取付用に用いられる結束バンドの取り付け位置を、予めワイヤハーネスの結束時に図板上で正確に位置合わせすることができる。それゆえ、従来のように特別なオプション用固定具の取り付け位置を別途位置合わせする工程や、オプション用固定具の取り付け位置を示すビニールテープ等の目印をつける工程なども排除でき、一層効率的かつ正確に、オプションハーネスの標準ハーネスに対する取り付け位置を管理することができる。
【００１３】
結束バンドに関する本発明の第二の態様は、前記第一の態様に記載の結束バンドにおいて、前記嵌合凹部と前記嵌合凸部の一組が、前記バンド挿通孔と平行に延びる前記バックル部の両側縁部にそれぞれ設けられているものである。
【００１４】
本態様によれば、嵌合凹部と嵌合凸部の一組が、バンド挿通孔と平行に延びるバックル部の両側縁部にそれぞれ設けられている。それゆえ、例えば、標準ハーネスに取り付けられた結束バンドとオプションハーネスに取り付けられた結束バンドを連結する際に、バックル部の両側縁部の何れの側の嵌合凹部と嵌合凸部も利用可能であり、２つのワイヤハーネス同士を取り付ける際の配索自由度等の向上を図ることができる。
【００１５】
結束バンドに関する本発明の第三の態様は、前記第二の態様に記載の結束バンドにおいて、前記バックル部の各前記側縁部に設けられた前記嵌合凹部と前記嵌合凸部の一組が、前記バックル部の高さ方向で相互に向き合って形成されており、前記嵌合凹部の内面と前記嵌合凸部の外面が部分的に共通な面で構成されているものである。
【００１６】
本態様によれば、バックル部の各側縁部に設けられた嵌合凹部と嵌合凸部が、バックル部の高さ方向で互いに向き合い、かつ部分的に共通な面で構成されている。それゆえ、バックル部の側縁部という限られたエリアに嵌合凹部と嵌合凸部をスペース効率よく形成することができ、嵌合凹部と嵌合凸部を両側縁部に設けたことによるバックル部の大型化を有利に回避することができる。
【００１７】
しかも、嵌合凹部と嵌合凸部が互いに向き合い、部分的に共通な面で形成されていることから、嵌合凸部の外方への露出を極力制限することができ、コンパクトかつ他部材との干渉を避けた、組み付け方向などの自由度の高い連結機能を備えた結束バンドを提供することができるのである。
【００１８】
結束バンドに関する本発明の第四の態様は、前記第一乃至第三の何れか１つの態様に記載の結束バンドにおいて、前記嵌合凹部の内面に、前記嵌合凸部の挿入方向に直交する方向に立ち上がる係合壁部が設けられている一方、前記嵌合凸部の外面に、前記挿入方向で前記係合壁部外面を乗り越え可能でかつ前記係合壁部の内面に係合して前記挿入方向と反対方向への前記嵌合凸部の移動を阻止する係合爪部が突設されているものである。
【００１９】
本態様によれば、嵌合凹部に挿入された嵌合凸部の係合爪部が嵌合凹部の係合壁部に係合して嵌合凹部からの嵌合凸部の抜け止めを確実に行うことができ、相互に組み付けられた結束バンド同士を安定して組み付け状態に保持することができる。
【００２０】
結束バンドに関する本発明の第五の態様は、前記第一乃至第四の何れか１つの態様に記載の結束バンドにおいて、前記嵌合凹部の内面と前記嵌合凸部の外面には、前記バンド挿通孔の貫通方向の両側で相互に係合して前記貫通方向の両側への前記嵌合凸部の前記嵌合凹部からの移動を阻止する当接部がそれぞれ設けられているものである。
【００２１】
本態様によれば、嵌合凹部の内面と嵌合凸部の外面にそれぞれ設けられた当接部が、バックル部に設けられたバンド挿通孔の貫通方向の両側で相互に当接することにより、貫通方向の両側における嵌合凸部の嵌合凹部からの移動が阻止されている。これにより、相互に組み付けられた結束バンド同士を安定して組み付け状態に保持することができる。
【００２２】
ワイヤハーネスの固定構造に関する本発明の第一の態様は、第一のワイヤハーネスに対して、第二のワイヤハーネスを固定するワイヤハーネスの固定構造であって、前記第一のワイヤハーネスに対して、前記第一乃至第五の何れか１つの態様に記載の結束バンドが取り付けられている一方、前記結束バンドに設けられた相互に嵌合可能な前記嵌合凹部と前記嵌合凸部の一組が、前記第二のワイヤハーネス側にも設けられており、前記第一のワイヤハーネス側の前記嵌合凹部と前記嵌合凸部の一方が、前記第二のワイヤハーネス側の前記嵌合凹部と前記嵌合凸部の他方に嵌合されて、前記第一のワイヤハーネスに対して前記第二のワイヤハーネスが固定されていることを特徴とする。
【００２３】
本態様によれば、本発明の結束バンドであって、結束機能に加えて連結機能を備えた結束バンドが第一のワイヤハーネスに取り付けられている。さらに、第二のワイヤハーネス側には、第一のワイヤハーネスに取り付けた結束バンドに設けられたものと同じ形状の嵌合凹部と嵌合凸部の一組を設けるだけの簡単な構造により、２つのワイヤハーネスを相互に連結固定することができる。
【００２４】
特に、本発明の結束バンドを利用していることから、第一のワイヤハーネスの電線結束に用いる結束バンドを第二のワイヤハーネスとの連結用としても利用することができ、従来の如き、２つのワイヤハーネスの連結用の特別な形状の固定具を別途用いることなく、２つのワイヤハーネスの連結を少ない部品点数で効率よく行うことができる。
【００２５】
しかも、第二のワイヤハーネス側には、第一のワイヤハーネス側と同じ構造の嵌合凹部と嵌合凸部の一組が設けられていればよいことから、簡単な構造で２つのワイヤハーネスの固定構造を実現できる。
【００２６】
ワイヤハーネスの固定構造に関する本発明の第二の態様は、前記第一の態様に記載のワイヤハーネスの固定構造において、前記第二のワイヤハーネスに前記第一乃至第五の何れか１つの態様に記載の結束バンドが取り付けられており、前記第二のワイヤハーネス側の前記嵌合凹部と前記嵌合凸部の一組が、前記第二のワイヤハーネスに取り付けられた前記結束バンドの前記嵌合凹部と前記嵌合凸部の一組によって構成されているものである。
【００２７】
本態様によれば、第二のワイヤハーネスにも本発明の結束バンドが取り付けられていることから、第二のワイヤハーネス側に嵌合凹部と嵌合凸部を容易に設けることができる。しかも、各ワイヤハーネスの電線束を結束する結束バンドとして本発明の結束バンドを用いるだけで、２つのワイヤハーネスの固定構造が実現できることから、一層汎用性の高い簡便な構造かつ低コストで、２つのワイヤハーネスの固定構造を実現できる。
【００２８】
ワイヤハーネスの固定構造に関する本発明の第三の態様は、前記第一の態様に記載のワイヤハーネスの固定構造において、前記第二のワイヤハーネス側の前記嵌合凹部と前記嵌合凸部の一組が、前記第二のワイヤハーネスの端末に取り付けられたコネクタに形成されているものである。
【００２９】
本態様においては、第一のワイヤハーネスに本発明の結束バンドを取り付ける一方、第二のワイヤハーネス側の嵌合凹部と嵌合凸部の一組を、第二のワイヤハーネスの端末に設けられたコネクタに形成するという簡単な構造で、２つのワイヤハーネスの固定構造を有利に実現することができる。しかも、第二のワイヤハーネス側の嵌合凹部と嵌合凸部の一組が、第二のワイヤハーネスの端末に設けられたコネクタに形成されていることから、第二のワイヤハーネスの端末のコネクタを直接第一のワイヤハーネスの結束バンドに固定することができる。それゆえ、未使用の第二のワイヤハーネスのコネクタを一層安定的に第一のワイヤハーネスに取り付けられている結束バンドに対して固定保持することができ、未使用のコネクタの他部材との干渉等を有利に防止することができる。
【発明の効果】
【００３０】
本発明によれば、結束バンドのバックル部には、相互に嵌合可能な嵌合凹部と嵌合凸部の一組が設けられていることから、例えばかかる結束バンドを標準ハーネスとオプションハーネスに結束固定すれば、標準ハーネスに取り付けた結束バンドの嵌合凹部と嵌合凸部の一方を、オプションハーネスに取り付けた結束バンドの嵌合凹部と嵌合凸部の他方に嵌合させるという簡単な作業により、オプションハーネスを標準ハーネスに固定して保持できる。すなわち、通常の電線結束に用いられる結束バンドと同じ構造の結束バンドを利用して、オプションハーネスを標準ハーネスに取り付けることも可能となる。したがって、従来の如きオプションハーネス用固定具という特別な部材を別途設ける必要がなく、通常の電線結束機能に加えて連結機能をも備えた汎用性の高い結束バンドを提供できる。さらに、標準ハーネスにオプションハーネスを固定する際に、電線結束に用いた結束バンドを利用できることから、結束バンドの取り付け位置を、予めワイヤハーネスの結束時に図板上で正確に位置合わせすることができる。それゆえ、従来のように特別なオプション用固定具の取り付け位置を別途位置合わせする工程や、オプション用固定具の取り付け位置を示すビニールテープ等の目印をつける工程なども排除でき、一層効率的かつ正確に、オプションハーネスの標準ハーネスに対する取り付け位置を管理することができる。
【図面の簡単な説明】
【００３１】
【図１】本発明の一実施形態としての結束バンドを示す側面図。
【図２】本実施形態の結束バンドの正面図。
【図３】第一および第二のワイヤハーネスに取り付けられた本実施形態の結束バンドが相互に嵌合されて固定されているワイヤハーネスの固定構造を示す正面図。
【図４】第一のワイヤハーネスに取り付けられた本実施形態の結束バンドに対して、第二のワイヤハーネスの端末に設けられたコネクタが固定されているワイヤハーネスの固定構造の他の態様を示す正面図。
【図５】本発明の一実施形態としての結束バンドの別の態様を示す側面図。
【図６】本実施形態の結束バンドの正面図。
【図７】第一および第二のワイヤハーネスに取り付けられた本実施形態の結束バンドが相互に嵌合されて固定されているワイヤハーネスの固定構造を示す正面図。
【発明を実施するための形態】
【００３２】
以下、本発明の実施形態について、図面を参照しつつ説明する。
【００３３】
先ず、図１〜２に、本発明の一実施形態としての結束バンド１０を示す。図１に示されているように、結束バンド１０は、バックル部１２と、バックル部１２の一方の端部１４の下端部より延出されて後述するワイヤハーネス４６，４８へ巻き付けられるバンド部１６と、を含んで構成されている。結束バンド１０は合成樹脂材料で一体成形されており、バンド部１６が湾曲変形可能となっている。なお、以下の説明において、上方とは、図１，２中の上方、下方とは、図１，２中の下方、また前方とは、図１中の左方、後方とは、図１中の右方を言うものとする。
【００３４】
バンド部１６は、図１に示されているように、長方形断面の細長い平板形状とされており、一方の面１８（図１中、上側の面）には、鋸歯状の係止突起２０がバンド部１６の延出方向に所定ピッチで多数並んで形成されている。
【００３５】
一方、結束バンド１０のバックル部１２には、図１に示されているように、バンド部１６の延出方向に貫通しかつバンド部１６が挿通係止されるバンド挿通孔２２が設けられている。そして、バンド挿通孔２２の内部には略三角断面形状で下方に向かって突出する係止片２４が設けられており、バンド部１６に設けられた係止突起２０と係合することによりバンド部１６を任意の位置に挿通係止できるようになっている。
【００３６】
また、バンド挿通孔２２と平行に延びるバックル部１２の両側縁部２６，２６には、バックル部１２の基端部（図２中、下端部）から外方（バンド挿通孔２２に直交する水平方向外方）に向かって略矩形平板形状で突出する底板部２８が設けられていると共に、バックル部１２の先端部（図２中、上端部）から外方に向かって略矩形平板形状で突出する天板部３０が設けられている。
【００３７】
このようにして、バンド挿通孔２２と平行に延びるバックル部１２の両側縁部２６，２６には、後述するように相互に嵌合可能とされた、嵌合凹部３２と嵌合凸部３４の一組がそれぞれ設けられている。より詳細には、嵌合凹部３２は、バックル部１２の側縁部２６と底板部２８と天板部３０によって囲まれかつ外方に向かって開口する凹所によって構成されている一方、嵌合凸部３４は、バックル部１２の天板部３０によって構成されている。これにより、図２に示されているように、嵌合凹部３２と嵌合凸部３４の一組が、バックル部１２の高さ方向（図２中、上下方向）で相互に向き合うように形成されていると共に、嵌合凹部３２の内面と嵌合凸部３４の外面が、嵌合凹部３２の内面の上面と嵌合凸部３４の外面の下面を部分的に共通な面として構成されるようになっている。
【００３８】
また、嵌合凹部３２の内面には、後述する嵌合凸部３４の挿入方向に直交する方向（図２中、下方）に立ち上がる係合壁部を構成する略三角断面形状の係合部３６が設けられている一方、嵌合凸部３４の外面には、後述する嵌合凸部３４の挿入方向（バンド挿通孔２２に直交する水平方向内方）で係合壁部の外面３８を乗り越え可能でかつ係合壁部の内面４０に係合して挿入方向と反対方向（バンド挿通孔２２に直交する水平方向外方）への嵌合凸部３４の移動を阻止する係合爪部を構成する係合部３６が突設されている。すなわち、本実施形態においては、係合壁部と係合爪部が同じ係合部３６によって構成されているのである。
【００３９】
さらに、嵌合凹部３２の内面には、当接部たる当接凹部４２が、バックル部１２の両側縁部２６，２６において、バンド挿通孔２２に向かって略円形断面形状で延びる凹所として底板部２８の上部に隣接して設けられている。一方、嵌合凸部３４の外面には、当接部たる当接凸部４４が、天板部３０の突出端部から突出方向外方に向かって略円形断面形状で延出する略釣鐘状の突部として設けられている。そして、後述するワイヤハーネスの固定構造において、嵌合凸部３４の当接凸部４４が嵌合凹部３２の当接凹部４２に嵌合された際には、当接凹部４２と当接凸部４４は、バンド挿通孔２２の貫通方向の両側（図１中、左右両側）において相互に係合されることによって、バンド挿通孔２２の貫通方向の両方向（図１中、左右両方向）に向かって嵌合凸部３４が嵌合凹部３２から移動することが有利に阻止されている。
【００４０】
このような構造とされた結束バンド１０を用いて、第一のワイヤハーネス４６に対して第二のワイヤハーネス４８を固定する方法について、図３を用いて説明を行う。ここで、ワイヤハーネス４６，４８は、公知のように、図示しない複数の電線の束を外周側から結束テープなどによって結束固定したものである。先ず、本実施形態の結束バンド１０を用いて、第一のワイヤハーネス４６および第二のワイヤハーネス４８のそれぞれの外周面に対してバンド部１６を巻き付けかつバンド挿通孔２２に挿通して係止することにより、結束バンド１０をワイヤハーネス４６，４８の軸方向の所定の位置に固定する。次に、第一のワイヤハーネス４６の外周面の上面に取り付けられた結束バンド１０のバックル部１２の一方の側縁部２６に設けられた嵌合凹部３２に対して、第二のワイヤハーネス４８の外周面の下面に取り付けられた結束バンド１０のバックル部１２の一方の側縁部２６に設けられた嵌合凸部３４が嵌合することにより、第一のワイヤハーネス４６に対して第二のワイヤハーネス４８が固定されるようになっている。より詳細には、第一のワイヤハーネス４６に取り付けられた結束バンド１０に設けられた嵌合凹部３２に対して、第二のワイヤハーネス４８に取り付けられた結束バンド１０に設けられた嵌合凸部３４に挿入されると、最初に嵌合凸部３４の係合部３６が嵌合凹部３２の係合部３６の外面３８に当接する。さらに奥方に挿入すると両係合部３６，３６が嵌合凹部３２の内面方向に向かって弾性変形されることにより、嵌合凸部３４の係合部３６が嵌合凹部３２の係合部３６の外面３８を乗り越えることが許容されるようになっている。そして、乗り越え後には両係合部３６，３６が弾性復帰して、嵌合凸部３４の係合部３６が嵌合凹部３２の係合部３６の内面４０に係合することにより、挿入方向と反対方向に嵌合凸部３４が抜け出すことが阻止されるようになっている。しかも、かかる状態において、嵌合凸部３４の当接凸部４４の外面が嵌合凹部３２の当接凹部４２の内面に係合することにより、バンド挿通孔２２の貫通方向へ抜け出すことについても阻止されている。このようにして、第一のワイヤハーネス４６に対して第二のワイヤハーネス４８が固定されるのである。なお、本実施形態においては、かかる状態において、さらに第二のワイヤハーネス４８に取り付けられた結束バンド１０のバックル部１２の一方の側縁部２６に設けられた嵌合凹部３２に対しても、第一のワイヤハーネス４６に取り付けられた結束バンド１０のバックル部１２の一方の側縁部２６に設けられた嵌合凸部３４が嵌合されており、これにより本実施形態では第一のワイヤハーネス４６に対して第二のワイヤハーネス４８がより強固に固定されるようになっている。
【００４１】
このような構造とされた結束バンド１０によれば、バックル部１２において、相互に嵌合可能とされた、嵌合凹部３２と嵌合凸部３４の一組が設けられている。これにより、例えば、本実施形態の結束バンド１０を標準ハーネスである第一のワイヤハーネス４６とオプションハーネスである第二のワイヤハーネス４８のそれぞれに結束固定することにより、第一のワイヤハーネス４６に取り付けられた結束バンド１０の嵌合凹部３２に対して、第二のワイヤハーネス４８に取り付けられた結束バンド１０の嵌合凸部３４を嵌合させるという簡単な作業により、第一のワイヤハーネス４６に対して第二のワイヤハーネス４８を固定して保持させることができるのである。なお、本実施形態の結束バンド１０は、通常の電線結束に用いられる結束バンドと同じ構造の結束バンドを利用して、バックル部１２に相互に嵌合可能な嵌合凹部３２と嵌合凸部３４の一組を設けたものである。したがって、従来の如きオプションハーネス用固定具という特別な部材を別途設ける必要がなく、通常の電線結束機能に加えて連結機能をも備えた汎用性の高い結束バンド１０を提供することができるのである。
【００４２】
また、嵌合凹部３２と嵌合凸部３４の一組が、結束バンド１０のバックル部１２の両側縁部２６，２６にそれぞれ設けられている。それゆえ、例えば、第一のワイヤハーネス４６に対して第二のワイヤハーネス４８を連結する際に、バックル部１２の両側縁部２６，２６の何れの側の嵌合凹部３２と嵌合凸部３４も利用可能であることから、２つのワイヤハーネス４６，４８同士を取り付ける際の配索自由度等の向上を図ることができる。しかも、バックル部１２の各側縁部２６に設けられた嵌合凹部３２と嵌合凸部３４が、バックル部１２の高さ方向で互いに向き合いかつ部分的に共通な面で構成されている。これにより、バックル部１２の側縁部２６に嵌合凹部３２と嵌合凸部３４をスペース効率よく形成することができ、バックル部１２の大型化を有利に回避できると共に、嵌合凸部３４の外方への露出を極力制限でき、コンパクトかつ他部材との干渉を避け、組み付け方向などの自由度の高い連結機能を備えた結束バンド１０を提供できるのである。
【００４３】
さらに、嵌合凸部３４の係合爪部たる係合部３６が嵌合凹部３２の係合壁部たる係合部３６の内面４０に係合することにより、挿入方向と反対方向に嵌合凸部３４が抜け出すことが阻止されるようになっている。しかも、嵌合凸部３４の当接凸部４４の外面が嵌合凹部３２の当接凹部４２の内面に係合することにより、バンド挿通孔２２の貫通方向へ抜け出すことについても阻止されていることから、相互に組み付けられた結束バンド１０同士を安定して組み付け状態に保持することができる。また、本実施形態では、嵌合凸部３４の係合爪部と嵌合凹部３２の係合壁部が同じ係合部３６によって兼用されていることから、挿入方向と反対方向に嵌合凸部３４が抜け出すことを阻止する機能をもコンパクトに設けることができるようになっている。
【００４４】
加えて、本実施形態の結束バンド１０は電線結束にも用いることができることから、例えばオプションハーネスである第二のワイヤハーネス４８に用いられる結束バンド１０の取り付け位置を、予め第二のワイヤハーネス４８の結束時に図板上で正確に位置合わせすることができる。それゆえ、従来のように特別なオプション用固定具の取り付け位置を別途位置合わせする工程や、オプション用固定具の取り付け位置を示すビニールテープ等の目印をつける工程なども排除できることから、一層効率的かつ正確に、オプションハーネスの標準ハーネスである第一のワイヤハーネス４６に対するオプションハーネスである第二のワイヤハーネス４８の取り付け位置を管理することができる。
【００４５】
次に、図４を用いて、本発明のワイヤハーネスの固定構造に用いられる他の態様の第二のワイヤハーネス５０について詳述するが、上記実施形態と同様な構造とされた部材および部位については、図中に、上記実施形態と同一の符号を付することにより、それらの詳細な説明を省略する。かかる第二のワイヤハーネス５０側の嵌合凹部３２と嵌合凸部３４の一組が、第二のワイヤハーネス５０の端末に取り付けられたコネクタ５２に形成されている点に関して、上記実施形態と異なる実施形態を示すものである。より詳細には、第二のワイヤハーネス５０は、多数の電線５４の束を外周側から結束テープ５６などによって結束固定し、かかる電線端末に略ブロック状のコネクタ５２を設けたものである。コネクタ５２には、固定部６０が設けられており、かかる固定部６０において電線５４の延出方向に直交する方向に平行に延びる両側縁部２６，２６には、結束バンド１０のバックル部１２と同様の嵌合凹部３２と嵌合凸部３４の一組がそれぞれ設けられている。
【００４６】
このように、第一のワイヤハーネス４６には本発明の結束バンド１０が取り付けられている一方、第二のワイヤハーネス４８の電線端末に設けられたコネクタ５２には嵌合凹部３２と嵌合凸部３４の一組を形成した固定部６０を設けるという簡単な構成により、第一のワイヤハーネス４６に対して第二のワイヤハーネス４８を固定する構造を有利に実現することができる。しかも、第二のワイヤハーネス４８側の嵌合凹部３２と嵌合凸部３４の一組が、第二のワイヤハーネス４８の電線端末に設けられたコネクタ５２に設けられていることから、かかるコネクタ５２を直接第一のワイヤハーネス４６の結束バンド１０に固定することができる。それゆえ、未使用の第二のワイヤハーネス４８のコネクタ５２を一層安定的に第一のワイヤハーネス４６の結束バンド１０に対して固定保持することができ、未使用のコネクタ５２の他部材との干渉等を有利に防止することができる。
【００４７】
以上、本発明の複数の実施形態について詳述したが、本発明はこれらの具体的な記載によって限定されない。例えば、上記実施形態の結束バンド１０では、嵌合凹部３２と嵌合凸部３４の一組がバックル部１２の両側縁部２６，２６に対してそれぞれ設けられていたが、図５〜６に示されている別の態様の結束バンド６２のように、バックル部６４の両側縁部２６，２６に対して一組の嵌合凹部３２と嵌合凸部３４のみが設けられていてもよい。すなわち、図５〜６に示されている別の態様の結束バンド６２では、バックル部６４の一方の側縁部２６に嵌合凹部３２が設けられる一方、他方の側縁部２６には嵌合凸部３４が設けられているのである。本態様の結束バンド６２を用いても、バックル部６４において、相互に嵌合可能とされた、嵌合凹部３２と嵌合凸部３４の一組が設けられている。これにより、図７に示されているように、例えば、本態様の結束バンド６２を第一のワイヤハーネス４６と第二のワイヤハーネス４８のそれぞれに結束固定することにより、第一のワイヤハーネス４６に取り付けられた結束バンド６２の嵌合凹部３２に対して、第二のワイヤハーネス４８に取り付けられた結束バンド６２の嵌合凸部３４を嵌合させるという簡単な作業により、第一のワイヤハーネス４６に対して第二のワイヤハーネス４８を固定して保持させることができる。なお、本態様の結束バンド６２は、通常の電線結束に用いられる結束バンドと同じ構造の結束バンドを利用して、バックル部６４に相互に嵌合可能な嵌合凹部３２と嵌合凸部３４の一組を設けたものである。したがって、従来の如きオプションハーネス用固定具という特別な部材を別途設ける必要がなく、通常の電線結束機能に加えて連結機能をも備えた汎用性の高い結束バンド６２を提供することができる。また、本態様の結束バンド６２では、上記実施形態のように係合壁部と係合爪部が同じ係合部３６によって構成されておらず、係合壁部６６と係合爪部６８として別々に構成されている。
【００４８】
加えて、嵌合凹部３２と嵌合凸部３４の一組がバックル部１２の一方の側縁部２６のみに設けられていてもよいし、相互に嵌合可能な嵌合凹部３２と嵌合凸部３４の一組の構造については任意の形状が採用可能である。
【符号の説明】
【００４９】
１０，６２：結束バンド、１２、６４：バックル部、１４：一方の端部、１６：バンド部、２２：バンド挿通孔、２６：側縁部、３２：嵌合凹部、３４：嵌合凸部、３６：係合部（係合壁部、係合爪部）、３８：外面、４０：内面、４２：当接凹部（当接部）、４４：当接凸部（当接部）、４６：第一のワイヤハーネス（ワイヤハーネス）、４８，５０：第二のワイヤハーネス（ワイヤハーネス）、５２：コネクタ、６６：係合壁部、６８：係合爪部
【図１】
2017163717.tif 000003
【図２】
2017163717.tif 000004
【図３】
2017163717.tif 000005
【図４】
2017163717.tif 000006
【図５】
2017163717.tif 000007
【図６】
2017163717.tif 000008
【図７】
2017163717.tif 000009